【事件の表示】
　特許第３０６７７４６号「カラー塗装設定方法」の請求項１ないし７に係る特許に対する特許異議の申立てについて、次のとおり決定する。
【結　論】
　訂正を認める。
　特許第３０６７７４６号の請求項１ないし６に係る特許を維持する。
【理　由】
１．手続の経緯
　特許第３０６７７４６号の発明についての出願は、平成１０年１２月７日に特許出願され、平成１２年５月１９日にその発明について特許の設定登録がされ、その後、その特許について、異議申立人関西ペイント株式会社、及び、異議申立人水谷昭雄により特許異議の申立てがなされ、取消理由通知がなされ、その指定期間内である平成１３年６月１８日に訂正請求（後日取下げ）がなされた後、再度の取消しの理由が通知され、その指定期間内である平成１３年１２月２０日に訂正請求がなされたものである。
　
２．訂正の適否についての判断
（１）訂正の内容
　特許権者が求めている訂正の内容は、以下のとおりである。
（ア）訂正事項ａ
明細書の特許請求の範囲を
「【請求項１】　カラーモニターにカラー塗装すべき家屋のモデルを表示して、その対象領域について、それぞれ、配色を設定するカラー塗装設定方法において、前記家屋およびそれに係わる事項に対する選者の多角的なイメージを選択させるため、その色彩感覚からのイメージ、言葉による表現上のイメージ、カラーサンプルによるイメージなどの複数のイメージ項目を前記カラーモニターの画面に表示し、選者によってイメージ項目別に選択させる第１の工程と、その選択結果に基づいて、そのイメージ項目別の選択事項についての総合判定として、予めメモリあるいは外部記憶媒体に用意した前記対象領域の幾つかの配色設計情報を、カラーモニターの画面上に表示する第２の工程と、前記配色設計情報から選者が選択することで、これに対応する前記モデルの対象領域のカラーを、カラーモニターの画面上で画像表示する第３の工程と、次に、選者によって前記配色設計情報中から選択させた、その対象領域についての配色を、メモリに保管する第４の工程と、選者が必要とする対象領域について第１〜第４の工程を、各イメージ項目ごとに順次繰り返し実行し、イメージ項目別の配色のいずれかを選択した後、前記家屋のモデルについて、前記メモリに選択・保管された全ての配色設計情報に基づいた画像表示をカラーモニターの画面上で行う第５の工程とを有することを特徴とするカラー塗装設定方法。
　　【請求項２】　前記第１〜第５の工程に先立って、カラー塗装すべき
家屋
　　【請求項３】　第１〜第４の工程の所要個所で、前記対象領域を部分領域に指定する副次工程を含み、該副次工程では、配色設計情報中からの選択以外に、色見本からの選択ができるように、カラーモニターの画面上に、色見本を表示し、選者に選択させ、これによって、前記カラーモニターの画面上で、前記部分領域の色換えを行うことを特徴とする請求項１〜２の何れかに記載のカラー塗装設定方法。
　　【請求項４】　第２および第３の工程では、選者による配色設計情報の選択毎に、カラーモニターの画面上で、前記モデルの対象領域の画像を変更表示することを特徴とする請求項１〜３の何れかに記載のカラー塗装設定方法。
　　【請求項５】　第１の工程における対象領域は、前記家屋の全体であり、その配色設計情報は、定型化された総合配色設計情報であることを特徴とする請求項１〜４の何れかに記載のカラー塗装設定方法。」
と訂正する。
（イ）訂正事項ｂ
　明細書の段落番号【０００６】を
「【０００６】
【課題を解決するための手段】
　このため、本発明では、カラーモニターにカラー塗装すべき家屋のモデルを表示して、その対象領域について、それぞれ、配色を設定するカラー塗装設定方法において、前記家屋およびそれに係わる事項に対する選者の多角的なイメージを選択させるため、その色彩感覚からのイメージ、言葉による表現上のイメージ、カラーサンプルによるイメージなどの複数のイメージ項目を前記カラーモニターの画面に表示し、選者によってイメージ項目別に選択させる第１の工程と、その選択結果に基づいて、そのイメージ項目別の選択事項についての総合判定として、予めメモリあるいは外部記憶媒体に用意した前記対象領域の幾つかの配色設計情報を、カラーモニターの画面上に表示する第２の工程と、前記配色設計情報から選者が選択することで、これに対応する前記モデルの対象領域のカラーを、カラーモニターの画面上で画像表示する第３の工程と、次に、選者によって前記配色設計情報中から選択させた、その対象領域についての配色を、メモリに保管する第４の工程と、選者が必要とする対象領域について第１〜第４の工程を、各イメージ項目ごとに順次繰り返し実行し、イメージ項目別の配色のいずれかを選択した後、前記家屋のモデルについて、前記メモリに選択・保管された全ての配色設計情報に基づいた画像表示をカラーモニターの画面上で行う第５の工程とを有することを特徴とする。」
と訂正する。
（ウ）訂正事項ｃ
　明細書の段落番号【０００７】を
「【０００７】
　この場合、本発明の実施の形態として、前記第１〜第５の工程に先立って、カラー塗装すべき家屋の複数モデルを、メモリから読み出して、カラーモニターの画面上に画像表示し、選者に選択させる準備工程を有すること、第１〜第４の工程の所要個所で、前記対象領域を部分領域に指定する副次工程を含み、該副次工程では、配色設計情報中からの選択以外に、色見本からの選択ができるように、カラーモニターの画面上に、色見本を表示し、選者に選択させ、これによって、前記カラーモニターの画面上で、前記部分領域の色換えを行うこと、第２および第３の工程では、選者による配色設計情報の選択毎に、カラーモニターの画面上で、前記モデルの対象領域の画像を変更表示すること、第１の工程における対象領域は、前記家屋の全体であり、その配色設計情報は、定型化された総合配色設計情報であることなどが好ましい。」
と訂正する。
（エ）訂正事項ｄ
　明細書の段落番号【００３７】を
「【００３７】
【発明の効果】
　本発明は、以上詳述したように、カラーモニターにカラー塗装すべき家屋のモデルを表示して、その対象領域について、それぞれ、配色を設定するカラー塗装設定方法において、前記家屋およびそれに係わる事項に対する選者の多角的なイメージを選択させるため、その色彩感覚からのイメージ、言葉による表現上のイメージ、カラーサンプルによるイメージなどの複数のイメージ項目を前記カラーモニターの画面に表示し、選者によってイメージ項目別に選択させる第１の工程と、その選択結果に基づいて、そのイメージ項目別の選択事項についての総合判定として、予めメモリあるいは外部記憶媒体に用意した前記対象領域の幾つかの配色設計情報を、カラーモニターの画面上に表示する第２の工程と、前記配色設計情報から選者が選択することで、これに対応する前記モデルの対象領域のカラーを、カラーモニターの画面上で画像表示する第３の工程と、次に、選者によって前記配色設計情報中から選択させた、その対象領域についての配色を、メモリに保管する第４の工程と、選者が必要とする対象領域について第１〜第４の工程を、各イメージ項目ごとに順次繰り返し実行し、イメージ項目別の配色のいずれかを選択した後、前記家屋のモデルについて、前記メモリに選択・保管された全ての配色設計情報に基づいた画像表示をカラーモニターの画面上で行う第５の工程とを有することを特徴とする。」
と訂正する。
（オ）訂正事項ｅ
　明細書の段落番号【００３８】を
「【００３８】
　従って、予め、施工者側で、専門的な知識、感性に基づいて選択された配色設計を多数、用意し、顧客側のカラーイメージを、素人にも理解できる設問で、選択させ、これに適合、あるいは、近似する配色設計を抽出し、画像表示することで、素早く、顧客が満足できるカラーイメージにアプローチすることができ、家屋に対する、繊細で、より優れたカラーイメージでの塗装が実現できる。」
と訂正する。
　
（２）訂正の目的の適否、新規事項の有無及び拡張・変更の存否
　上記訂正事項ａのうちの請求項１の訂正は、訂正前請求項１の記載内容に訂正前請求項３及び４の記載内容の一部を併合し更に記載事項の一部を一層具体的に規定することにより、特許請求の範囲の減縮を行うものである。
　訂正前請求項１において「対象物」の記載を、訂正後請求項１では「家屋」と訂正した。これは、「対象物」が「家屋」を包含することは、明細書の段落【０００８】その他の記載から明白である。
　訂正前請求項１の「そのイメージ項目を前記カラーモニターの画面に表示し、」との記載を、訂正後請求項１では「その色彩感覚からのイメージ、言葉による表現上のイメージ、カラーサンプルによるイメージなどの複数のイメージ項目を前記カラーモニターの画面に表示し、」と訂正した。これは、訂正前請求項４に記載されていたことである。
　訂正前請求項１の「選者が必要とする対象領域について第１〜第４の工程を繰り返し実行した後、」との記載を、訂正後請求項１では「選者が必要とする対象領域について第１〜第４の工程を、各イメージ項目ごとに順次繰り返し実行し、イメージ項目別の配色のいずれかを選択した後、」と訂正した。これは、訂正前請求項３において、「第１〜第４の工程では、その対象領域についてのイメージ項目毎に、順次、実行するループ作業を行う」と記載されていることに対応するとともに、明細書の発明の詳細な説明の【００２３】の「選者は、これらのイメージ項目別の選択情報（配色−１〜配色−３）について何れか（特に、選者のカラーイメージに適合し、あるいは、近似したもの）を選択（ここでは、配色−１で選択されたＦＣ−Ａ１０２を選択）して、次に、その設定画面で、第１の工程に戻る。」との記載から、請求の範囲の記載を明確に規定したものである。
　以上のように訂正された請求項１の発明は、本件特許明細書に記載されているものであるとともに、願書に最初に添付した明細書または図面に記載されている事項の範囲内のものである。そして、以上の訂正は、実質上特許請求の範囲を拡張または変更するものではない。
　上記訂正事項ａのうちの請求項３〜５の訂正は、訂正前請求項３及び４の削除に伴い、訂正前請求項５〜７の請求項番号を請求項３〜５に訂正するとともに、これらにおける引用請求項番号を訂正したものである。
　訂正前請求項７の「対象物全体」との記載を、訂正後請求項５では「前記家屋の全体」と訂正した。これは、「対象物」が「家屋」を包含することは、明細書の段落【０００８】その他の記載から明白である。
　以上のように訂正された請求項２〜５のそれぞれの発明は、本件特許明細書に記載されているものであるとともに、願書に最初に添付した明細書または図面に記載されている事項の範囲内のものである。そして、以上の訂正は、実質上特許請求の範囲を拡張または変更するものではない。
　従って、上記訂正事項ａは、許請求の範囲の減縮及び明りょうでない記載の釈明に該当する。
　また、上記訂正事項ｂ及びｃは、上記訂正事項ａとの整合を図るものであるから、明りょうでない記載の釈明を目的とした明細書の訂正に該当し、いずれも、新規事項の追加に該当せず、実質的に特許請求の範囲を拡張又は変更するものでない。
　
（３）むすび
　したがって、上記訂正は、特許法第１２０条の４第２項及び同条第３項で準用する第１２６条第２項及び第３項の規定に適合するので、当該訂正を認める。
　
３．特許異議申立についての判断
（１）本件発明
　上記２．で示すように上記訂正が認められるから、本件の請求項１に係る発明（以下、「本件発明」という。）は、上記訂正に係る訂正明細書の特許請求の範囲の請求項１に記載された事項により特定されるとおりのものである。（上記２．（１）（ア）訂正事項ａ参照）
　
（２）引用刊行物に記載された発明
（ア）刊行物１
　当審が通知した取消理由において引用した刊行物１（異議申立人　関西ペイント株式会社が提出した甲第１号証）（特開平１−１４３６７０号公報）には、
建造物等の外装塗色選定法に関し、「塗色を設定しておく建造物等はできるだけ広範囲にわたっていることが望ましく、具体的には、少なくとも２００種以上である。これらの情報は、分類、整理され、必要に応じてコンピューターなどで処理しておくこともできる。」（２頁右下欄９行〜同１４行参照）こと、
「第２工程による情報から第３工程によるデータの選択は特に制限されないが、カード方式もしくはコンピューターなどを利用してもよい。」（３頁左上欄９行〜同１２行参照）こと、
「本発明の方法は、上記第１〜４工程からなっているが、さらに第４段階で得た塗色で外装された目的建造物等をカラーコンピューターなどでシミレーションし、それを写真印刷することも可能で、それによって一層現実的になって塗色の選定が容易となる。」（３頁左上欄１３行〜同１８行参照）ことが記載されている。
（イ）刊行物２
　当審が通知した取消理由において引用した刊行物２（異議申立人　関西ペイント株式会社が提出した甲第２号証）（特開平１０−３０１９８１号公報）の
段落【０００１】には、「【産業上の利用分野】本発明は、建物外観の色彩決定支援システムに関するもので、より具体的には、建物の外壁の色彩を決定する際に、色彩に関する情報を与えることのできる支援システムに関する。」と記載されており、
段落【００１１】には、「本発明は、上記した背景に鑑みてなされたもので、その目的とするところは、上記した問題を解決し、イメージに合った建物の外壁の色彩（候補）を推定・決定することができるようにし、さらに入力作業を容易にすることができる建物外観の色彩決定支援システムを提供するものである。また、ある色彩を外壁の色彩に用いた場合に発揮されるイメージ情報を精度良く推定することができ、設計者が決定した色彩の持つイメージの確認などをすることができる建物外観の色彩決定支援システムを提供することを別の目的とする。」と記載されており、
段落【００２６】には、「ここでまず入力データとなるイメージプロフィールの具体例を示すと、図４に示す３０組の形容詞対からなるＳＤ尺度評価値を用いている。そしてこの３０組の形容詞対を図示するように、評価因子（ｅｖａｌｕａｔｉｏｎ）と潜在因子（ｐｏｔｅｎｃｙ）と活動因子（ａｃｔｉｖｉｔｙ）の３つに分類し、各因子ごとに入力できるようにしている。」と記載されており、
段落【００３０】には、「そこで本形態では、予め複数の代表的なイメージと各形容詞対のＳＤ尺度評価値を関連づけたテンプレートを用意し、そのテンプレートを利用して３０組の形容詞対のＳＤ尺度評価値を決定できるようにしている。具体的には、上記した図５に示すマスター画面に表示された「テンプレート」の部分Ｋ３を選択する。すると、図６に示すようなテンプレート入力画面が表示される。なお、このテンプレート入力画面と上記したマスター画面は、マルチウインドウで両方とも表示するようになっているが、テンプレート入力画面に表示を切り替えるようにしてももちろん良い。」と記載されており、
段落【００４６】には、「さらに３つの要素を単に数値で示しただけだとそれを見た人が実際の色を認識しにくいので、本形態では、色変換部１２を設け、３つの要素（Ｈ，Ｖ，Ｃ）で特定される色彩をＲＧＢデータに変換し、それに基づいて色見本の表示領域Ｒ３に該当する色を表示するようにしている。これにより、使用者は、自分のイメージに一致する色彩が信頼度の高いものから順に表示されるので、それを見て最終的に建物外壁の色彩を決定する際の情報として有効に利用できる。また、必要に応じて出力制御部１１は、抽出した色彩候補に関するデータをプリンタ１３を介してプリントアウトすることもできるようになっている。」と記載されている。
（ウ）日本色彩学会編「新編色彩科学ハンドブック第２版」、１９９８年６月、東京大学出版会第Ｐ１４０３−１４０７（異議申立人水谷昭雄が提出した甲第１号証）
　第１４０４頁には、表３３．１０に色彩設計プロセスが示されている。ここには、色彩設計の手順が９項目示されており、各項目毎の主な作業内容と準備する資料があがっている。
　甲第１号証の色彩設計プロセス「１情報収集」並びに「２色彩コンセプトの策定」に相当する内容である。
　第１４０５頁左欄第３行目から第６行目には、色彩イメージの視覚化として、「ＣＧを用いると色彩イメージの視覚化は効率的に行える。これにより設計者自身がおおまかな建物の色彩イメージを確認しておく。また、委託者に提示し、意見を聞いておくことも重要である。」と記載されている。また、同頁右欄下から第８行目以降には、色彩の予測と評価として、「まず、選色する前に求めるイメーンプロフィールを作成しておき、パースやＣＧで予測を行った段階でもう一度評価を行い、イメージプロフィール相互の合致度合いを確認することが大切である。」と記載されている。
　すなわち、甲第１号証では「顧客の要望に添って配色設計」するために、「カラーモニターを利用して視覚的に、顧客のカラーイメージを把握」し、「素人にも理解できる設問で、選択」させることが記載されている。
　さらに、上記した処理を実現するための手段として、第１４０７頁左欄第２行目から第２８行目には、「予測の方法は、……コンピュータグラフィックス（ＣＧ）による方法などがある。ＣＧとは、コンピュータを使って画像を作ることであり、色彩検討はＣＧの最も得意とすることの一つである。最近ではパソコンでも簡単にＣＧ検討が行えるようになった。……既存の建物の写真を採り込み、範囲を指定して材質感や色彩を変えるシミュレーションなどもＣＧの一部である。……」と記載されている。
　つまり、上記した各工程をコンピュータで処理することが示されている。そして、当然のことながら、コンピュータ処理をするためには、必要なデータをメモリ或いは外部記憶媒体に記憶させておき、必要に応じて（選択命令に基づき）記憶したデータを読み出してモニタ画面に表示し、表示した画面を見て選択したものを記憶することは、通常行われることである。
（エ）　「東京電力Ｅ．Ｐ．ＴＯＤＡＹ」，　電気新聞５面、１９９７年８月１４日（異議申立人水谷昭雄が提出した甲第２号証）
　東京電力の景観に対する取り組みとして、３つの事例を紹介した記事である。３つの事例の内の一つが、「”風情のある”建物の色は？パソコンで自在に選定店所に配布」と見出しが付けられて、東京電力電力技術研究所建築グループで開発された「電力建物色彩選定システム」が紹介されている。このシステムでは、「建物外壁の色彩選定が円滑かつ的確に行え、業務の効率化が図れる。また、パソコン上で景観と建物の写真を合成し、簡単な操作でさまざまな色彩の建物を画面表示できる。外壁材や窓の形も変えられる。」こと、「形容詞でイメージを数値化して表示、イメージに応じた複数の色彩をパソコンが自動選定してくれる。」こと、色は「ＪＩＳ標準色票を基にしたパレットを備え」て管理されており、「撮影した建設予定地をパソコンに取り込み、そこに建物の完成予想図をＣＧで合成する。建物部分はマスクして任意の色彩に設定でき、画面上で比較して色彩選定が容易に行われる。」こと等が記載されており、画面イメージ写真が饗載されている。
（オ）　ＭｉｃｒｏｓｏｆｔＷｏｒｄ９７オフィシャルマニュアル　Ｒｕｓｓｅｌｌ　Ｂｏｒｌａｎｄ著　（株）ユニゾン　訳　（１９９７年５月１１日　初版発行　発行所　株式会社アスキー）　第５６４頁　第５行、第９−１０行及び、図１３−４　クリップギャラリー（異議申立人水谷昭雄が提出した甲第３号証）
　複数の画像から１つを選択させる場合、その複数の画像そのものをカラーモニターの画面上に表示し、表示された画像を選択する方法が記載されている。
（カ）　日本色彩研究所　「色彩ワンポイント７」，日本規格協会、１９９３年ｐ．７４−７８（異議申立人水谷昭雄が提出した甲第４号証）
　第７４頁以降には、「住宅の色彩」と題して、住宅外部の色彩の現状が概説され、第７５頁第６行目−１５行目には、「全体の印象を決定づけるポイントは基調となる屋根と外壁の配色である。……次に配合色、強調色としてのサッシ、手すりの色彩が重要なポイントとなる。…」と記載されている。
　さらに、これらの色彩の関係として、第７５頁下から１行目−第７６頁第２行目には、「外壁色と類似の色彩を用いる。例えば、外壁がグレイの場合、シルバーまたはブラック，外壁がブラウンやべ一ンュの場合、ブロンズ色のサッシや手すりが類似の調和関係になる。」と記載されている。
　さらに、第７６頁第３行目以降には、「外壁色と対象の色彩を用いる。……」等、配色の手法が掲載されている。これは、実質的に配色設計情報が「定型化」していることが掲載されている。
　さらに、外壁が決まったとしても、サッシや手すりなどの部分（パーツ）の色は一義的に決まらず、複数のものから選ぶことが示唆されている。
（キ）　特開平１０−３０１９８１号公報　図５及び第５頁右欄第６−１２行（異議申立人水谷昭雄が提出した甲第５号証）
　第５号証には、形容詞対を７段階で尺度化してイメージを定量化し、段落［００２８］及び、図５に示した方法で、選者がイメージの入力を容易にすることを記載している。
（ク）　Ａｄｏｂｅ　Ｐｈｏｔｏｓｈｏｐ　５．０　１９９８年１０月１３日初版発行（異議申立人水谷昭雄が提出した甲第６号証）
　第７７頁に描画色や背景色を変更するに際し、カフーパレット，色見本パレット，カラーピッカーを使用することができることが示されており、各使用方法については、第７７頁から７９頁にわたって解説されている。そして、モニタに表示した色見本等の中から使用する色を選択すると、その選択した色を使用してカラーモニター画面上に表示されたカラー画像に着色等ができることを示している。当然のことながら、着色する以上、モニタ画面上で選択された色が表示され、すでに着色された領域を選択し、再度別の色を選択するとその色が表示される。
（ケ）　小林重順、日本カラーデザイン研究所「カラーリスト−色彩心理ハンドブック−」、１９９７年３月（異議申立人水谷昭雄が提出した甲第７号証）
　第１４頁から第１５頁には、５色配色イメージスケールが掲載されている。
　すなわち、イメージスケールは、小林重順らによって、イメージと色彩との関係を２次元図表上で表現したものである。特に５色配色イメージスケールでは、配色でパターン化して、色彩の組み合わせを表示している。
　
（３）対比・判断　
（ア）本件請求項１に係る発明について
　本件請求項１に係る発明と刊行物１に記載された発明とを対比すると、両者は、家屋およびそれに係わる事項に対する選者の多角的なイメージを選択させ、その選択結果に基づく配色設計情報でモデルの対象領域をカラー表示するカラー塗装設定方法である点で一致するが、本件発明が、家屋およびそれに係わる事項に対する選者の多角的なイメージを選択させるため、その色彩感覚からのイメージ、言葉による表現上のイメージ、カラーサンプルによるイメージなどの複数のイメージ項目をカラーモニターの画面に表示し、選者によってイメージ項目別に選択させ、その選択結果に基づいて、対象領域の幾つかの配色設計情報を表示し、その配色設計情報から選者が選択する点については相違する。
本件発明は、当該事項により、当該事項により本件発明は、予め、施工者側で、専門的な知識、感性に基づいて選択された配色設計を多数、用意し、顧客側のカラーイメージを、素人にも理解できる設問で、選択させ、これに適合、あるいは、近似する配色設計を抽出し、画像表示することで、素早く、顧客が満足できるカラーイメージにアプローチすることができ、対象物に対する、繊細で、より優れたカラーイメージでの塗装が実現できるという顕著な効果を奏するものであり、本件発明が上記各刊行物に記載したものから容易に発明をすることができたものとはいえない。
　
（イ）本件請求項２乃至６に係る発明について
　請求項２乃至６に係る発明については、それぞれ請求項１に係る発明を引用した発明であるので、請求項１に係る発明と同様に、上記各刊行物からは、当業者が容易に発明することはできない。
　　　　　　　　　　　　　　　　　　　　　　　
　以上のとおり、本件請求項１乃至６に係る発明は、上記各刊行物に記載された発明に基いて当業者が容易に発明をすることができたものではない。
　
ウ．むすび
　以上のとおりであるから、特許異議申立の理由に及び証拠によっては、本件請求項１乃至６に係る発明の特許を取り消すことはできない。
　また、他に、本件請求項１乃至６に係る発明の特許を取り消すべき理由を発見しない。
　よって結論のとおり決定する。
【異議決定日】
平成１３年１２月２５日（２００１．１２．２５）
【訂正の要旨】
訂正の要旨
（ア）訂正事項ａ
明細書の特許請求の範囲を
「【請求項１】　カラーモニターにカラー塗装すべき家屋のモデルを表示して、その対象領域について、それぞれ、配色を設定するカラー塗装設定方法において、前記家屋およびそれに係わる事項に対する選者の多角的なイメージを選択させるため、その色彩感覚からのイメージ、言葉による表現上のイメージ、カラーサンプルによるイメージなどの複数のイメージ項目を前記カラーモニターの画面に表示し、選者によってイメージ項目別に選択させる第１の工程と、その選択結果に基づいて、そのイメージ項目別の選択事項についての総合判定として、予めメモリあるいは外部記憶媒体に用意した前記対象領域の幾つかの配色設計情報を、カラーモニターの画面上に表示する第２の工程と、前記配色設計情報から選者が選択することで、これに対応する前記モデルの対象領域のカラーを、カラーモニターの画面上で画像表示する第３の工程と、次に、選者によって前記配色設計情報中から選択させた、その対象領域についての配色を、メモリに保管する第４の工程と、選者が必要とする対象領域について第１〜第４の工程を、各イメージ項目ごとに順次繰り返し実行し、イメージ項目別の配色のいずれかを選択した後、前記家屋のモデルについて、前記メモリに選択・保管された全ての配色設計情報に基づいた画像表示をカラーモニターの画面上で行う第５の工程とを有することを特徴とするカラー塗装設定方法。
　【請求項２】　前記第１〜第５の工程に先立って、カラー塗装すべき家屋の複数モデルを、メモリから読み出して、カラーモニターの画面上に画像表示し、選者に選択させる準備工程を有することを特徴とする請求項１に記載のカラー塗装設定方法。
　【請求項３】　第１〜第４の工程の所要個所で、前記対象領域を部分領域に指定する副次工程を含み、該副次工程では、配色設計情報中からの選択以外に、色見本からの選択ができるように、カラーモニターの画面上に、色見本を表示し、選者に選択させ、これによって、前記カラーモニターの画面上で、前記部分領域の色換えを行うことを特徴とする請求項１〜２の何れかに記載のカラー塗装設定方法。
　【請求項４】　第２および第３の工程では、選者による配色設計情報の選択毎に、カラーモニターの画面上で、前記モデルの対象領域の画像を変更表示することを特徴とする請求項１〜３の何れかに記載のカラー塗装設定方法。
　【請求項５】　第１の工程における対象領域は、前記家屋の全体であり、その配色設計情報は、定型化された総合配色設計情報であることを特徴とする請求項１〜４の何れかに記載のカラー塗装設定方法。」
と訂正する。
（イ）訂正事項ｂ
　明細書の段落番号【０００６】を
「【０００６】
　【課題を解決するための手段】
　このため、本発明では、カラーモニターにカラー塗装すべき家屋のモデルを表示して、その対象領域について、それぞれ、配色を設定するカラー塗装設定方法において、前記家屋およびそれに係わる事項に対する選者の多角的なイメージを選択させるため、その色彩感覚からのイメージ、言葉による表現上のイメージ、カラーサンプルによるイメージなどの複数のイメージ項目を前記カラーモニターの画面に表示し、選者によってイメージ項目別に選択させる第１の工程と、その選択結果に基づいて、そのイメージ項目別の選択事項についての総合判定として、予めメモリあるいは外部記憶媒体に用意した前記対象領域の幾つかの配色設計情報を、カラーモニターの画面上に表示する第２の工程と、前記配色設計情報から選者が選択することで、これに対応する前記モデルの対象領域のカラーを、カラーモニターの画面上で画像表示する第３の工程と、次に、選者によって前記配色設計情報中から選択させた、その対象領域についての配色を、メモリに保管する第４の工程と、選者が必要とする対象領域について第１〜第４の工程を、各イメージ項目ごとに順次繰り返し実行し、イメージ項目別の配色のいずれかを選択した後、前記家屋のモデルについて、前記メモリに選択・保管された全ての配色設計情報に基づいた画像表示をカラーモニターの画面上で行う第５の工程とを有することを特徴とする。」
と訂正する。
（ウ）訂正事項ｃ
　明細書の段落番号【０００７】を
「【０００７】
　この場合、本発明の実施の形態として、前記第１〜第５の工程に先立って、カラー塗装すべき家屋の複数モデルを、メモリから読み出して、カラーモニターの画面上に画像表示し、選者に選択させる準備工程を有すること、第１〜第４の工程の所要個所で、前記対象領域を部分領域に指定する副次工程を含み、該副次工程では、配色設計情報中からの選択以外に、色見本からの選択ができるように、カラーモニターの画面上に、色見本を表示し、選者に選択させ、これによって、前記カラーモニターの画面上で、前記部分領域の色換えを行うこと、第２および第３の工程では、選者による配色設計情報の選択毎に、カラーモニターの画面上で、前記モデルの対象領域の画像を変更表示すること、第１の工程における対象領域は、前記家屋の全体であり、その配色設計情報は、定型化された総合配色設計情報であることなどが好ましい。」
と訂正する。
（エ）訂正事項ｄ
　明細書の段落番号【００３７】を
「【００３７】
　【発明の効果】
　本発明は、以上詳述したように、カラーモニターにカラー塗装すべき家屋のモデルを表示して、その対象領域について、それぞれ、配色を設定するカラー塗装設定方法において、前記家屋およびそれに係わる事項に対する選者の多角的なイメージを選択させるため、その色彩感覚からのイメージ、言葉による表現上のイメージ、カラーサンプルによるイメージなどの複数のイメージ項目を前記カラーモニターの画面に表示し、選者によってイメージ項目別に選択させる第１の工程と、その選択結果に基づいて、そのイメージ項目別の選択事項についての総合判定として、予めメモリあるいは外部記憶媒体に用意した前記対象領域の幾つかの配色設計情報を、カラーモニターの画面上に表示する第２の工程と、前記配色設計情報から選者が選択することで、これに対応する前記モデルの対象領域のカラーを、カラーモニターの画面上で画像表示する第３の工程と、次に、選者によって前記配色設計情報中から選択させた、その対象領域についての配色を、メモリに保管する第４の工程と、選者が必要とする対象領域について第１〜第４の工程を、各イメージ項目ごとに順次繰り返し実行し、イメージ項目別の配色のいずれかを選択した後、前記家屋のモデルについて、前記メモリに選択・保管された全ての配色設計情報に基づいた画像表示をカラーモニターの画面上で行う第５の工程とを有することを特徴とする。」
と訂正する。
（オ）訂正事項ｅ
　明細書の段落番号【００３８】を
「【００３８】
　従って、予め、施工者側で、専門的な知識、感性に基づいて選択された配色設計を多数、用意し、顧客側のカラーイメージを、素人にも理解できる設問で、選択させ、これに適合、あるいは、近似する配色設計を抽出し、画像表示することで、素早く、顧客が満足できるカラーイメージにアプローチすることができ、家屋に対する、繊細で、より優れたカラーイメージでの塗装が実現できる。」
と訂正する。
（５４）【発明の名称】
カラー塗装設定方法
（５７）【特許請求の範囲】
　【請求項１】　カラーモニターにカラー塗装すべき
家屋
家屋
色彩感覚からのイメージ、言葉による表現上のイメージ、カラーサンプルによるイメージなどの複数の
を、各イメージ項目ごとに順次繰り返し実行し、イメージ項目別の配色のいずれかを選択した後
家屋
　【請求項２】　前記第１〜第５の工程に先立って、カラー塗装すべき
家屋
　
【請求項３】
請求項１〜２
　
【請求項４】
請求項１〜３
　
【請求項５】
前記家屋の
請求項１〜４
【発明の詳細な説明】
　【０００１】
　【発明の属する技術分野】
　本発明は、主として、家屋の新築、改装時などの外部塗装に際して、顧客の要望に添って配色設計するためのカラー塗装設定方法に関する。
　【０００２】
　【従来の技術】
　従来、外部塗装の配色は、カラー見本を通して、施工者側（営業要員）が顧客と相談する形となるので、顧客の要望をきめ細かに理解することが困難であり、全体のカラーイメージが把握できないため、施工後に、顧客から苦情を受ける場合が多い。これは、営業上の障害であった。
　【０００３】
　そこで、カラーモニターを利用して、一定の対象物のモデルを画面表示し、この画面上で、カラー選択により、配色を設定することで、視覚的に、顧客のカラーイメージを把握でき、顧客自身も十分納得した配色での塗装作業を実現することが企画された。
　【０００４】
　【発明が解決しようとする課題】
　しかしながら、対象物の対象領域毎、例えば、壁、屋根、トリムなどの各色を、素人の顧客に、単に選択させるのでは、施行錯誤が多く、カラー塗装設定に手間取り、また、纏まりが付かず、結局、施工者側に依存する形となるので、顧客のカラーイメージを満足させるのが難しい。
　【０００５】
　本発明は、上記事情に基づいてなされたもので、予め、施工者側で、専門的な知識、感性に基づいて選択された配色設計を多数、用意し、顧客側のカラーイメージを、素人にも理解できる設問で、選択させ、これに適合、あるいは、近似する配色設計を抽出し、画像表示することで、素早く、顧客が満足できるカラーイメージにアプローチするカラー塗装設定方法を提供しようとするものである。
　【０００６】
　【課題を解決するための手段】
　このため、本発明では、カラーモニターにカラー塗装すべき
家屋
家屋
色彩感覚からのイメージ、言葉による表現上のイメージ、カラーサンプルによるイメージなどの複数の
を、各イメージ項目ごとに順次繰り返し実行し、イメージ項目別の配色のいずれかを選択した後
家屋
　【０００７】
　この場合、本発明の実施の形態として、前記第１〜第５の工程に先立って、カラー塗装すべき
家屋
こと、第１
前記家屋の
　【０００８】
　【発明の実施の形態】
　以下、本発明の実施の形態を、図１〜図２７を参照して、具体的に説明する。ここでは、予め、メモリ１に内蔵したファイル（あるいは、ディスクドライブ２などを介して、外部記録媒体からファイル）をＣＰＵ３に読み込んで、先ず、カラーモニター４上で、キーボード５の操作により、前記ファイルをオープンさせ（図４を参照）、カラー塗装すべき対象物、例えば、家屋などの建築物の複数モデル（外観上の相違によるモデル：ここでは９例）Ｍ１〜Ｍ９を、カラー画面（図５を参照）上に分割した形で（この事例では、３×３＝９分割の区画中に順番で）画像表示し、施工対象に近似するモデルを選者（顧客）に選択させる（準備工程Ｓ０の実行：ここではモデルＭ３が選択される）。
　【０００９】
　次に、この選択作業で選択されたモデルＭ３を画面表示する（図６を参照）と共に、カラー塗装すべき対象物、即ち、建築物のモデルＭ３の対象領域（例えば、建物全体を対象領域とする）に、前記対象物およびそれに係わる事項に対する選者の多角的なイメージを、カラー画面上に表示されたイメージ項目別に選択させる（第１の工程）。即ち、ここでは、マウスのクリック操作などで、複数のイメージ項目Ｉ１、Ｉ２、Ｉ３（色彩感覚からのイメージ、言葉による表現上のイメージ、カラーサンプルによるイメージなど）から、自動的に（あるいは、選者によって）、イメージ項目Ｉ１を選択させて（図７を参照）、設問毎に回答させる（図８を参照）。
　【００１０】
　これを表１を参照して説明すると、ここでは「基本イメージ」が自動選択されており、先ず、どのようなカラーイメージの建築物にしたいかの設問について、「暖かい−普通−涼しい」の３分割選択、「軽快な−昔通−重厚な」の３分割選択、「伝統的な−普通−先進的な」の３分割選択が用意されており、選者は、これら設問について、それぞれ、回答を選択する。ここでは、各設問について「暖かい」、「軽快な」、「普通」が選択されている。
　【００１１】
　また、次には、当該建築物の置かれる地域（ここでは、住宅地）の環境カラーイメージについての設問が用意されている。この設問も、３段階に分けてあり、多く見られる外壁の色彩は？・・・として「ブラウン系−べージュ系−グリーン系」の３分割選択、色彩の印象は？・・・として「明るい−どちらでもない−渋い」の３分割選択、全体の雰囲気は？・・・として「地味で落ちついている−どちらでもない−はれやかで活発」の３分割選択が用意され、ここでも、選者は、これらの設問について、それぞれ、回答を選択する。ここでは、各設問について「ベージュ系」、「明るい」、「どちらでもない」が選択されている。
　【００１２】
　更に、次には、その地域との調和について？・・・の設問において「融和させたい−少し違うものにしたい−いくらか特徴ずけたい」の３分割選択が用意されている。選者は、これについても回答を選択する。ここでは、「少し違うものにしたい」が選択されている。
　【００１３】
　【表１】
　その選択結果に基づいて、そのイメージ項目別の選択事項（設問の回答）についての総合判定として予めメモリ１（あるいは、外部記憶媒体）に用意した前記対象領域（ここでは、建物全体について）の幾つかの配色設計情報（ここでは、その事例として、ＦＣ−Ａ１０２、ＦＣ−２０４、ＦＣ−Ａ２０７）を、図９に示すように、カラー画面上に表示する（第２の工程）。
　【００１４】
　選者は、図１０に示すように、配色設計情報の１つ、例えば、ＦＣ−Ａ１０２を選択すると、カラー画面の対象物のカラーが、その配色設計情報（ここでは、定型化された配色設計情報）に基づいて変更される。即ち、前記配色設計情報に基づいて、モデルＭ３のカラーを、その対象領域（ここでは、建物全体）にカラー画面上で画像表示する（第３の工程）。
　【００１５】
　この際、予め、配色の個別表示として用意された、個別の対象領域、例えば、建築物（住宅）の軒天、樋、トリム、屋根、手摺などをマスク名、色名、色で表示し、また、予め用意された配色設計の欄の右脇の５色の表示カラー領域に、前記色名と色そのものが表示される（表２および表３を参照）。因みに、この実施の形態では上述の選択事項の選択によって、選出された配色設計情報「ＦＣ−Ａ１０２」でのマスク名に対応する色名および色（例えば、この実施の形態での軒天、樋およびトリムの色名は０３９３であり、手摺の色名は０５２７であり、壁の色名は４０８９である）が表示される（屋根については、ストレートブラックなので、配色設計情報の色表示には採用されていない）。
　【００１６】
　【表２】
　【００１７】
　【表３】
　なお、この際、カラー画面上では、選者によって選択された各配色情報についての言葉による解説を付けるとよい。この実施の形態では、建築物についてのカラーイメージの選択回答、および、前記総合判定の結果の配色設計情報の説明として「暖かい−軽快−普通」および「甘さ、やわらかさ、カジュアルでのびのびとした爽やかな明るさ」の表記が、配色設計の欄の下になされている。
　【００１８】
　この操作は、選者の要望で、幾つも選択表示させることができる。例えば、次にＦＣ−Ａ２０７を選択して、カラー画面上で、図１１に示すような、対象物のカラーに変更する。このようにして、選者は、自分が選択したイメージ情報に基づく、予め専門家が用意した対象領域（建物全体）の幾つかのカラー画像（配色設計情報）を、逐一確認することができる。なお、この画面上のＦＣ−Ａ２０７表記では、建築物についてのカラーイメージの選択回答、および、前記総合判定の結果の配色設計情報の説明として「普通−重厚−伝統的」および「しっかりした安心感、ひっそりとした旧家の味わいを感じさせる頼もしさ」が上げられている。
　【００１９】
　当然、この際に対応するマスク名に対応する色名および色については、この実施の形態において、軒天の色名は０５７４、樋の色名は０１２７、トリムの色名は０３４７、手摺の色名は０１２７、壁の色名は０３４７が表示される（この場合も、屋根については、ストレートブラックなので、配色設計情報の色表示には採用されていない）。
　【００２０】
　そして、その対象領域（ここでは、建物全体）についての配色を、選者によって、配色設計情報中から選択させ（ここでは、図１２に示すように、ＦＣ−Ａ１０２を選択）、配色−１のメモリ領域に保管する（第４の工程）。この段階で配色のメモリ領域についてのウィンドウが開かれ、配色−２が選択される（図１３を参照）。
　【００２１】
　このような作業（第１工程〜第４工程）を、各イメージ項目毎に繰り返し（図１４および図１５を参照）、順次、配色−２、配色−３に保管する。このため、第１工程に戻る都度、イメージ項目は、自動的に（あるいは、選者によって）、次のイメージ項目（即ち、Ｉ２、Ｉ３）へとシフトされる。
　【００２２】
　即ち、配色−２では、言葉によるカラーイメージとして、イメージワードのウィンドウが開かれる（表４を参照）。ここでの解説欄には「イメージにふさわしい言葉があれば、一つか二つを以下の言葉から選択して下さい。二つを選択するときは、ＣＴＲＬキーを押しながら選択して下さい。」などの操作ガイドが示されている。また、配色−３では、カラーのイメージとして、基本カラーのウインドウが開かれる（図１５を参照）。
　【００２３】
　【表４】
　選者は、これらのイメージ項目別の選択情報（配色−１〜配色−３）について何れか（特に、選者のカラーイメージに適合し、あるいは、近似したもの）を選択（ここでは、配色−１で選択されたＦＣ−Ａ１０２を選択）して、次に、その設定画面で、第１の工程に戻る。
　【００２４】
　なお、選者が上述の作業（第１工程〜第４工程）を繰り返すまでもなく、早々に、選者自身のイメージに合った配色情報を視覚的に見出した場合には、直ちに次に段階に移動することができる。
　【００２５】
　次に、副次工程として、以下の工程に入ることができる。ここでは、配色−１についての、マスク名と色名（と色）の表示欄には、それぞれ、手摺：０５２７、上壁：４０８９、雨戸：４０６３、雨戸枠：０５２７、下壁：４０７８などが表示されており、同欄の上下シフトによって、カラー確認ができる。また、必要なら、選者によって、マスク名が選択され、対象領域を部分領域（例えば、下壁）に変える（図１６を参照）。そして、配色設計の表示領域（右脇）でカラー表示された定型の色（図には５個）から、所望のもの（ここでは茶色：色名で４０６３）を選択すると、図１７に示すように、対象物の画像の下壁の色が変更表示される。同時に、配色−１についてのマスク名「下壁」の色名（と色）が４０６３（茶色）に変わる。
　【００２６】
　同様に、選者によって、マスク名を選択し、例えば、部分領域として、屋根を選択した際も、定型の色からの選択ができるが、上述のカラー見本に希望のカラーがない場合には、色見本調色をクリックして、カラーカードのウィンドを開き、その中から、所望色を選択してもよい（図１８および表５を参照）。ここでは、最初、「Ｆ−２・建築用色見本」およびそのデータが表示される。そこで、屋根用のカラー見本を検索するために、シフト操作すると、図１９で示すように、他に「屋根・リフレッシュ２１」、「屋根・ルーベンシリーズ」や「日塗工」などの、専門家によって予め選択された、対象部位に適した、取扱メーカーの塗料名（商品見本名）で、このウインドを開き、これを選択することができる（表６を参照）。ここでは、「屋根・リフレッシュ２１」が選択される。
　【００２７】
　【表５】
　【００２８】
　【表６】
　その結果、カラーカードのウインドに対応する色見本が表示される（図２０および表７を参照）。この中から適当なカラー、例えば「オレンジイエロー」を選択すると、図２１に示すように、対象物の対象領域（ここでは、屋根）のカラーが変更されて画像表示される。
　【００２９】
　【表７】
　必要とされる全ての対象領域（建物全体、その部分、例えば、屋根、トリム・・・）について、カラー選択が終了したならば、前記対象物のモデルについて、カラー画面上において、前記選択・保管された配色設計情報に基づいた画像表示（この実施の形態では、図２１に表示された画面で対象物の最終案が纏まっている）を行う（第５の工程）。
　【００３０】
　そこで、編集をクイックして、図２２に示すような、データ編集のウインドを用いて、最終的に決定されたカラー塗料設定のデーターを顧客コード毎に、登録するのである（その登録の状況は、図２３に示されている）。その最終案の対象物のカラー画像は、図２４に示され、ファイルをクイックすることで、ファイルウインドが開かれ、保存、印刷などの処理がなされ、アプリケーションの終了となる（図２５を参照）。
　【００３１】
　なお、その後に、顧客の建物の画像を取り込んで（この実施の形態では、モデルＭ３をそのまま取り込んで）、カラー塗料設定のデーターに基づくカラー画像を構成し、保存場所を指定して、内部メモリ（あるいは、外部記録媒体）に記録して置いて（図２６および図２７を参照）、顧客の要望に従って、カラー画像で表示することができる。
　【００３２】
　このようにして、施工者側は、顧客との対話形式で、顧客の要望するカラーイメージを、専門家の感性に基づく配色設計情報に結びつけて、選択することで、迅速且つ正確に把握し、顧客を満足させるカラー塗装設定が行え、施工に際しての顧客側からの不満を回避できる。
　【００３３】
　なお、この実施の形態では、対象物を一般家屋などの建物に限定したが、ビルディング、橋梁などの他の建造物についても、塗装作業に関して、顧客との間で繊細なカラー設定の協議が行える利点がある。
　【００３４】
　また、この実施の形態では、第１工程〜第４工程での対象領域を、対象物全体（建物全体）として、イメージ項目別に配色設計情報を得、対象物の部分領域のカラー設定については、副次工程で、実施しているが、全体についての配色設計情報の設定をベースとして、更に、対象領域を部分に切り換えて、別に用意した部分領域毎のイメージ項目別に、第１〜第４の工程を繰り返す形で、細部の設定を行うようにしてもよい。
　【００３５】
　更に、対象領域を全体としてイメージする場合に、対象物の特性によっては、最初から、対象物のモデルの対象領域を幾つかの部分領域に分けて、イメージ項目別に配色設計情報を選択・設定するようにしてもよい。この場合には、第１〜第４の工程は、各対象領域毎（即ち、部分領域毎）に繰り返しの形で、実施されることになる。そして、最終的に、対象物のモデルの全体についての配色設計情報の選択結果を画面表示で確認することで、カラー塗装設定をすることが可能となる。
　【００３６】
　なお、この実施の形態では、カラー塗装設定のシステムを、一般的なコンピュータを用いて実行したが、必要に応じて専用の電子機器として構成してもよい。また、プリントアウトなどの必要がない顧客先でのモニターには、携帯式のコンピュータを採用することも、営業上、有利である。また、この実施の形態では、表および図面において、カラー表示を、種々のハッチングなどを代用して、模式的に示している。
　【００３７】
　【発明の効果】
　本発明は、以上詳述したように、カラーモニターにカラー塗装すべき
家屋
家屋
色彩感覚からのイメージ、言葉による表現上のイメージ、カラーサンプルによるイメージなどの複数の
を、各イメージ項目ごとに順次繰り返し実行し、イメージ項目別の配色のいずれかを選択した後
家屋
　【００３８】
　従って、予め、施工者側で、専門的な知識、感性に基づいて選択された配色設計を多数、用意し、顧客側のカラーイメージを、素人にも理解できる設問で、選択させ、これに適合、あるいは、近似する配色設計を抽出し、画像表示することで、素早く、顧客が満足できるカラーイメージにアプローチすることができ、
家屋
【図面の簡単な説明】
　【図１】
　本発明の実施の形態でのシステムの概略的な構成ブロック図である。
　【図２】
　同じく、システムの実施に際してのフローチャートである。
　【図３】
　同じく、サブルーチンを分けて表示するフローチャートである。
　【図４】
　同じく、カラーモニターの第１の表示画面である。
　【図５】
　同じく、カラーモニターの第２の表示画面である。
　【図６】
　同じく、カラーモニターの第３の表示画面である。
　【図７】
　同じく、カラーモニターの第４の表示画面である。
　【図８】
　同じく、カラーモニターの第５の表示画面である。
　【図９】
　同じく、カラーモニターの第６の表示画面である。
　【図１０】
　同じく、カラーモニターの第７の表示画面である。
　【図１１】
　同じく、カラーモニターの第８の表示画面である。
　【図１２】
　同じく、カラーモニターの第９の表示画面である。
　【図１３】
　同じく、カラーモニターの第１０の表示画面である。
　【図１４】
　同じく、カラーモニターの第１１の表示画面である。
　【図１５】
　同じく、カラーモニターの第１２の表示画面である。
　【図１６】
　同じく、カラーモニターの第１３の表示画面である。
　【図１７】
　同じく、カラーモニターの第１４の表示画面である。
　【図１８】
　同じく、カラーモニターの第１５の表示画面である。
　【図１９】
　同じく、カラーモニターの第１６の表示画面である。
　【図２０】
　同じく、カラーモニターの第１７の表示画面である。
　【図２１】
　同じく、カラーモニターの第１８の表示画面である。
　【図２２】
　同じく、カラーモニターの第１９の表示画面である。
　【図２３】
　同じく、カラーモニターの第２０の表示画面である。
　【図２４】
　同じく、カラーモニターの第２１の表示画面である。
　【図２５】
　同じく、カラーモニターの第２２の表示画面である。
　【図２６】
　同じく、カラーモニターの第２３の表示画面である。
　【図２７】
　同じく、カラーモニターの第２４の表示画面である。
　【符号の説明】
　Ｍ１〜Ｍ９　　モデル
　１　　メモリ
　２　　ディスクドライブ
　３　　ＣＰＵ
　４　　カラーモニター
　５　　キーボード